(57)【要約】【課題】収集する情報に同時性を確保する【解決手段】センター装置４００は、情報を収集するための要求情報と収集する地区を示す地区情報とを含む収集要求情報を生成する収集要求情報生成部（情報生成部４１７と情報編集部４１６）と、生成された収集要求情報を無線送信する情報送信部４１９と、収集要求情報に対する応答情報として収集した情報と収集した情報を検出した位置を示す検出位置情報とを所定のネットワーク２３０と無線とのいずれか一方により入力する通信部４１３と情報受信部４１２と、入力された応答情報の収集地区情報の示す位置を含む地区を求めるとともに、上記応答情報の収集した情報を用いて上記コンテンツ情報を生成して、生成したコンテンツ情報を上記地区情報に対応させる情報加工部４２１とを備えた。【選択図】        図５
2005006064.tif 000002
【特許請求の範囲】
【請求項１】
コンテンツ情報を生成するための元情報を収集して、収集した元情報を用いてコンテンツ情報を生成するセンター装置において、
上記元情報を収集するための要求情報と上記元情報を収集する対象地区を示す地区情報とを含む収集要求情報を生成する収集要求情報生成部と、
上記収集要求情報生成部により生成された収集要求情報を上記対象地区を含む所定の地区へ無線送信する無線送信部と、
上記無線送信部から送信された収集要求情報に対して元情報を含む応答情報を受信する通信部と、
上記通信部により受信した上記応答情報の元情報を用いて上記コンテンツ情報を生成して、生成したコンテンツ情報を上記地区情報が示す対象地区のコンテンツ情報として記憶するコンテンツ情報生成部と
を備えたことを特徴とするセンター装置。
【請求項２】
上記要求情報は、上記元情報の項目を示す項目情報と元情報を収集する場合の条件情報とを有し、
上記通信部は、上記条件情報を満足する応答情報を受信することを特徴とする請求項１記載のセンター装置。
【請求項３】
上記無線送信部は、上記地区情報がそれぞれ異なり上記要求情報がそれぞれ同一である複数の上記収集要求情報を同報送信することを特徴とする請求項１記載のセンター装置。
【請求項４】
上記無線送信部は、上記地区情報がそれぞれ同一であり上記要求情報がそれぞれ異なる複数の上記収集要求情報を同報送信することを特徴とする請求項１記載のセンター装置。
【請求項５】
上記無線送信部は、複数の上記収集要求情報に対してそれぞれ異なるチャネルを割り当てて、上記複数の収集要求情報を同報送信することを特徴とする請求項１記載のセンター装置。
【請求項６】
上記無線送信部は、上記コンテンツ情報生成部により生成された上記コンテンツ情報を上記収集要求情報とともに同報送信することを特徴とする請求項１記載のセンター装置。
【請求項７】
上記応答情報は、応答情報の発信者を識別する発信元情報を含み、
上記通信部は、上記コンテンツ情報生成部により生成された上記コンテンツ情報を上記発信元情報により識別される発信者へ送信する
ことを特徴とする請求項１記載のセンター装置。
【請求項８】
上記センター装置は、上記コンテンツ情報の種類を示すコンテンツ種類情報とコンテンツ情報を生成する地区を示すコンテンツ地区情報とを入力する入力部を備え、
上記収集要求情報生成部は、上記入力部により入力されたコンテンツ種類情報に基づいて上記項目情報と上記条件情報を生成し、上記コンテンツ地区情報に基づいて上記地区情報を生成する
ことを特徴とする請求項２記載のセンター装置。
【請求項９】
上記センター装置は、上記コンテンツ情報生成部により生成されたコンテンツ情報を上記所定のネットワークとは別のネットワークを介して提供するコンテンツ提供部を備えたことを特徴とする請求項１記載のセンター装置。
【請求項１０】
以下の要素を備えることを特徴とする移動体装置
（ａ）所定の地区を示す地区情報と収集する情報の項目を示す項目情報とを少なくとも有する収集要求情報を無線受信する無線受信部、
（ｂ）自己の位置を測位して位置情報を求める位置測位部、
（ｃ）上記位置測位部により求められた位置情報を含む地区を判定して地区判定情報を出力する地区判定部、
（ｄ）上記地区判定部により出力された地区判定情報と上記無線受信部により受信された収集要求情報の地区情報とを比較して一致するか一致しないかのいずれか一方の結果情報を通知する地区比較部、
（ｅ）外部より所定のセンサー値を検出する検出部、
（ｆ）上記地区比較部により通知された結果情報が一致することを示す場合に、上記検出部により検出された所定のセンサー値から上記収集要求情報の項目情報の示す項目のセンサー値を入力する入力部、
（ｇ）上記入力部により入力されたセンサー値を有する応答情報を生成する応答情報生成部、
（ｈ）上記応答情報生成部により生成された応答情報を所定のネットワークと無線とのいずれか一方によって送信する通信部。
【請求項１１】
上記応答情報生成部は、上記要求情報を生成した位置を判定するため、上記位置情報と上記地区情報のいずれか一方を上記応答情報に含めることを特徴とする請求項１０記載の移動体装置。
【請求項１２】
上記収集要求情報は、収集する情報の条件を示す条件情報を有し、
上記移動体装置は、上記入力部により入力されたセンサー値と上記条件情報とを比較して、条件を満足する場合に上記センサー値を上記応答情報生成部に出力する条件判定部を備え、
上記応答情報生成部は、上記条件判定部により上記センサー値が出力された場合に上記応答情報を生成する
ことを特徴とする請求項１０記載の移動体装置。
【請求項１３】
上記無線受信部は、所定のコンテンツ情報と上記コンテンツ情報に対応する地区情報とを無線受信し、
上記地区比較部は、上記地区判定部により出力された地区判定情報と上記無線受信部により受信された上記コンテンツ情報に対応する地区情報とを比較して一致するか一致しないかのいずれか一方の結果情報を通知し、
上記移動体装置は、上記地区比較部より結果情報を受け取り、上記結果情報が上記一致することを示している場合は、上記コンテンツ情報を入力して表示する表示部を備えた
ことを特徴とする請求項１０記載の移動体装置。
【請求項１４】
上記通信部は、所定のコンテンツ情報と上記コンテンツ情報を上記所定のネットワークを介して受信し、
上記移動体装置は、上記コンテンツ情報を入力して表示する表示部を備えた
ことを特徴とする請求項１０記載の移動体装置。
【請求項１５】
上記移動体装置は、上記収集要求情報の項目情報の示す項目に対する項目応答情報を入力する項目応答部を備え、
上記入力部は、上記項目応答部により入力された項目応答情報を入力し、
上記応答情報生成部は、入力部により入力された項目応答情報と上記収集要求情報の地区情報とを有する応答情報を生成する
ことを特徴とする請求項１０記載の移動体装置。
【請求項１６】
所定のコンテンツ情報を生成するための元情報の収集を要求する収集要求情報を無線送信するセンター装置と、
上記センター装置が無線送信した収集要求情報を無線受信する移動体装置とを備えた情報収集システムであって、
上記センター装置は、
上記元情報を収集するための要求情報に上記元情報を収集する対象の地区を示す地区情報を対応させて収集要求情報を生成する収集要求情報生成部と、
上記収集要求情報生成部により生成された収集要求情報を無線送信する無線送信部と、
上記無線送信部から送信された収集要求情報に対する応答情報として上記元情報と上記収集要求情報の地区情報とを所定のネットワークと無線とのいずれか一方により入力する通信部と、
上記通信部により入力された応答情報の位置情報により示される位置を含む地区の地区情報を求めるとともに、上記応答情報の元情報を用いて上記コンテンツ情報を生成して、生成したコンテンツ情報を上記地区情報に対応させるコンテンツ情報生成部と
を備え、
上記移動体装置は、
上記センター装置の無線送信部より無線送信され、上記衛星により中継された収集要求情報を無線受信する無線受信部と、
自己の位置を測位して位置情報を求める位置測位部と、
上記位置測位部により求められた位置情報を含む地区を判定して地区判定情報を出力する地区判定部と、
上記地区判定部により出力された地区判定情報と上記無線受信部により受信された収集要求情報の地区情報とを比較して一致するか一致しないかのいずれか一方の結果情報を通知する地区比較部と、
外部より所定のセンサー値を検出する検出部と、
上記地区比較部により通知された結果情報が一致することを示す場合に、上記検出部により検出された所定のセンスされた値から上記収集要求情報の項目情報の示す項目のセンサー値を入力する入力部と、
上記入力部により入力されたセンサー値と上記収集要求情報の地区情報とを有する応答情報を生成する応答情報生成部と、
上記応答情報生成部により生成された応答情報を所定のネットワークと無線とのいずれか一方によって送信する通信部と
を備えたことを特徴とする情報収集システム。
【請求項１７】
上記情報収集システムは、上記センター装置から無線送信された収集要求情報を無線受信して、無線受信した収集要求情報を中継する所定の衛星を備えたことを特徴とする請求項１６記載の情報収集システム。
【発明の詳細な説明】
【０００１】
【発明の属する技術分野】
この発明は、準天頂衛星などを用いた所定のコンテンツ情報を生成するための元情報の収集に関する。
【０００２】
【従来の技術】
移動体装置からのデータ収集システムについては、タクシーやトラック等の動態管理システムがある。また、所定の情報を収集して収集した情報を元に所定のコンテンツ情報を生成して、生成したコンテンツ情報を提供するシステムの一例として「財団法人  道路交通情報通信システムセンター」により提供されている「道路交通情報システム（ＶＩＣＳ）」がある。
タクシーやトラック等の動態管理システムの情報収集方式として、移動体装置が自立的に情報をセンターへ通知する方式がある。この方式では、一定周期毎或いはイベント発生毎の送信となるため、トラフィックが膨大になる。また、トラフィックが膨大になることに比例して通信料金がかかる。さらに、収集する情報は異なるタイミングでバラバラに送信されることが考えられ、収集する情報について同時性を確保できない。
また、別の情報収集方式としてセンター側から移動体装置に呼びかけるポーリング方式がある。この方式では、センター側から移動体装置に対して個別に呼び出しを行う。
また、「財団法人  道路交通情報通信システムセンター」の提供する「ＶＩＣＳ」のホームページによると、「道路交通情報システム（ＶＩＣＳ）」は、
１．道路交通情報を体系的に収集する
２．収集された情報を処理・編集する
３．処理された情報を車載機に伝送する
４．利用者が車載機を使って情報を利用する
上記４つの機能を有している。上記１．の「道路交通情報を体系的に収集する」ことについては、ＶＩＣＳセンターが都道府県警察や道路管理者からの情報を受信して、その受信した情報を元に例えば渋滞情報を作成している。上記した都道府県警察や道路管理者からの情報は、主に幹線道路についての情報である。また渋滞情報は、混雑度を３段階に示すものである。また、車載機への情報の伝送は、高速道路や主要幹線道路に設置されたビーコンから伝送されたり、ＦＭ多重放送を利用して伝送している。
【０００３】
【非特許文献１】
「財団法人  道路交通情報通信システムセンター」の提供する「ＶＩＣＳ」のホームページ、［平成１５年５月２６日検索］、インターネット＜ＵＲＬ：ｈｔｔｐ：／／ｗｗｗ．ｖｉｃｓ．ｏｒ．ｊｐ／＞
【０００４】
【発明が解決しようとする課題】
移動体装置が自立的に情報をセンターへ通知する方式では、一定周期毎或いはイベント発生毎の送信となるため、トラフィックが膨大になる。また、トラフィックが膨大になることに比例して通信料金がかかる。さらに、収集する情報は異なるタイミングでバラバラに送信されることが考えられ、収集する情報について同時性の確保が困難である。
また、移動体装置が情報をセンターへ通知する方式としてポーリング方式がある。この方式では、センター側から移動体装置に対して個別に呼び出しを行うため、複数の移動体装置に対して同一の指示を行う場合には移動体装置の数に対応する要求を行うとともに、移動体装置の数に対応する応答を得る必要があるため、移動体装置の数が多い大規模システムの実現は困難である。また、個々の移動体装置が要求を受けるタイミングがずれてしまう。
また、幹線道路の情報を収集して例えば渋滞情報を生成すると、幹線道路以外の道路の混雑状況が確認できない。また、利用者に渋滞情報を伝送する場合に、ビーコンやＦＭ多重放送ではカバーされない地域があり、利用者は情報の提供を受けられないことがあった。
【０００５】
そこで、この発明は、以下のことを目的とする。
情報の収集を要求する場合は、複数の移動体装置に対して同時に行うとともに多数の移動体を対象にして行う。
情報の収集を要求する場合のトラフィックを解消する。
応答の同時性を確保する。
応答のトラフィックを解消する。
【０００６】
【課題を解決するための手段】
この発明に係るセンター装置は、コンテンツ情報を生成するための元情報を収集して、収集した元情報を用いてコンテンツ情報を生成するセンター装置において、
上記元情報を収集するための要求情報と上記元情報を収集する対象地区を示す地区情報とを含む収集要求情報を生成する収集要求情報生成部と、
上記収集要求情報生成部により生成された収集要求情報を上記対象地区を含む所定の地区へ無線送信する無線送信部と、
上記無線送信部から送信された収集要求情報に対して元情報を含む応答情報を受信する通信部と、
上記通信部により受信した上記応答情報の元情報を用いて上記コンテンツ情報を生成して、生成したコンテンツ情報を上記地区情報が示す対象地区のコンテンツ情報として記憶するコンテンツ情報生成部と
を備えたことを特徴とする。
【０００７】
【発明の実施の形態】
実施の形態１．
図１は、実施の形態１の情報収集システム全体のイメージを表した図である。
センター装置４００は、各地区に対応する地区情報と所定の情報を収集することを要求する要求情報とを有する収集要求情報を送信する。地区情報は、所定の地域を複数の地区（例えば、地区Ａ、地区Ｂ、地区Ｃ等）に分割し、分割したそれぞれの地区を識別するものである。収集要求情報は、要求情報によって示された情報を地区情報に対応する地区の移動体装置３００から収集することを要求するものである。図１では、一例としてＡ地区情報、Ｂ地区情報、Ｃ地区情報を示している。
準天頂衛星２２０は、センター装置４００から移動体装置を搭載した多数の車輌を対象に送信される収集要求情報を中継する（Ｓ１，リクエスト）。
移動体装置３００は、準天頂衛星２２０により中継されたセンター装置からの収集要求情報を受信する。収集要求情報の地区情報が、自己が存在する地区（例えば、地区Ａ、地区Ｂ、地区Ｃのいずれか）と一致する場合に、要求情報により収集を要求されている情報を車輌に搭載されたセンサーから取得したり、ドライバー等より直接情報を入力して取得して、収集要求情報に対する応答情報を生成する。生成した応答情報はネットワーク２３０を介してセンター装置４００へ送信する（Ｓ２，レスポンス、Ｓ３，収集）。
センター装置４００は、移動体装置より受信した応答情報を元にコンテンツ情報（例えば、渋滞情報）を生成する。生成したコンテンツ情報は、ネットワーク２３１を介して情報利用側２４０として接続された顧客へ提供する（Ｓ４，情報提供）。準天頂衛星２２０を利用することにより、広い範囲に向けて、かつ山間部やビルの陰などの電波の届きにくい場所にいる移動体装置を搭載した車輌に向けて収集要求情報を送信することができる。また、移動体装置は、電波の届きにくい場所にいても、収集要求情報を受信できる。
【０００８】
図２は、実施の形態１の情報収集システムの構成の一例を表した図である。
情報収集システムは、センター装置４００と移動体装置３００（ここでは移動体装置３００は車輌に搭載されているものとする）とＧＰＳ（Ｇｌｏｂａｌ  Ｐｏｓｉｔｉｏｎｉｎｇ  Ｓｙｓｔｅｍ）衛星２１０と準天頂衛星２２０とを備える。センター装置４００は、ネットワーク２３０を介して移動体装置３００を接続する。ネットワーク２３０は、携帯電話網などの無線網である。さらに、センター装置４００は、コンテンツ情報を提供する情報利用側２４０の一例として情報提供端末２４０Ａ、情報提供端末２４０Ｂ、……情報提供端末２４０Ｎ（以下、特に複数の情報提供端末を区別しない場合、「情報提供端末２４０」と記す）と、ネットワーク２３１を介して接続している。
ネットワーク２３１は、有線・無線を問わない。また、公衆回線、専用回線、インターネット、ＬＡＮ（Ｌｏｃａｌ  Ａｒｅａ  Ｎｅｔｗｏｒｋ）等、通信網の種類も問わない。
情報利用側２４０の具体例としては、例えば、交通情報や気象情報を利用する公共機関のセンターや企業のセンターが考えられる。また、個人の自宅のパーソナルコンピュータが考えられる。
【０００９】
ここで、準天頂衛星２２０に関して説明する。
図３は、今後計画されている準天頂衛星に関する技術を示す図である。
図３において、準天頂衛星２２０は、一例として、赤道面から約４５度の傾斜角になるように地上３５８００ｋｍ上空を地球の自転に合わせて１日に１周回している。また、準天頂衛星２２０は、一例として、昇交点赤経（赤道面との交点）において１２０度ずつ離れるように３機が配置されている。
図４は、今後計画されている準天頂衛星に関する技術を示す図である。
図４においては、地上を固定して考えた場合に、図３における準天頂衛星２２０の軌跡を示している。図４に示すように、準天頂衛星２２０は、日本南方上を交点とする「８の字」を描くように周回している。３機の準天頂衛星２２０は、軌道面を異にするが８時間ずつ交代するように、切れ目なく日本上空に位置している。また、地域を日本で考えた場合、仰角が７０度以上の準天頂衛星２２０が常に存在することになる。切れ目なく日本上空に位置しているため、仰角が７０度以上の準天頂衛星２２０が常に存在し、受信者が地上で準天頂衛星２２０から電波を受ける際、ビルの谷間でも電波を遮られることがない。
【００１０】
従って、情報収集システムは、上記に説明した準天頂衛星２２０の利点を利用して、センター装置４００からの収集要求情報が広範囲の地区にいる移動体装置３００へ送信できることを実現するものである。さらに、電波の届きにくい場所であっても、移動体装置３００によって高い確率で収集要求情報が受信されることを実現するものである。
また、位置精度の高精度化（ｃｍ単位）と、位置計算時間の短縮化（数秒以下）のために、準天頂衛星を利用する。準天頂衛星をＧＰＳ衛星の一つとして利用し、地上の電子基準点と組み合わせて高精度測位機能を実現する。
なお、以下の説明では、地区識別子は、所定の地域（例えば、収集要求情報を受信できる範囲）を複数に分割し、分割した複数の地区それぞれに割り当てられる識別子である。地区識別子によって、所定の地区を特定する。
地区情報は、地区識別子によって特定される地区に関連する情報であり、地区識別子によって検索することが可能である。
【００１１】
図５は、センター装置４００の構成の一例を表した図である。
アンテナ４１１は、準天頂衛星２２０を介して、収集要求情報を送信する。また、準天頂衛星２２０を介して移動体装置３００からの応答情報を受信する。
情報受信部４１２は、アンテナ４１１が受信した応答情報を入力し、情報収集部４１４へ出力する。情報受信部４１２は、移動体装置３００からの応答情報を無線受信する場合の通信部の一例である。
通信部４１３は、ネットワーク２３０を介して、移動体装置３００からの応答情報を受信する。また、通信部４１３は、センター装置４００が生成する所定のコンテンツ情報を移動体装置３００へ送信する。通信部４１３が移動体装置３００から受信した情報は、情報収集部４１４へ出力される。通信部４１３は、移動体装置３００からの応答情報をネットワーク２３０を介して受信する場合の通信部の一例である。
【００１２】
情報収集部４１４は、通信部４１３及び情報受信部４１２が受信した応答情報を入力し、収集情報メモリ４１５へ格納する。情報収集部４１４は例えば、入力した応答情報を地区別の収集日時別の収集項目別にして収集した値を収集情報メモリ４１５へ格納する。
収集情報メモリ４１５は、情報収集部４１４から出力される応答情報を格納する。格納された情報は、地区情報や収集日時や収集項目によって検索することが可能である。
【００１３】
情報編集部４１６は、移動体装置３００から収集する情報の項目を示す項目情報を生成するとともに、情報を収集する地区を指定する地区情報を生成して、地区情報を項目情報に対応させる編集を行う。
情報編集部４１６が生成する項目情報及び地区情報は、センター装置４００が生成するコンテンツ情報の提供先から予め指定されてもいいし、センター装置４００独自の指定をしてもかまわない。また、日付や曜日や時間によって指定する内容を変更できる。また、災害時等にスポット的に指定をすることができる。
【００１４】
情報生成部４１７は、情報編集部４１６が編集した収集要求情報に対して、収集要求情報が受信側からの応答を要求しているものであることを示す応答要求指示情報を付加する。応答要求指示情報は、例えば応答要求コマンドである。センター装置４００は、移動体装置３００に対して収集要求情報を送信する他に、移動体装置３００への通知を目的とする通知情報を送信する場合がある。このため、応答を要求する目的の情報であるか、通知を目的とする情報であるかを移動体装置３００に区別させるため、応答要求指示情報を付加する。なお、通知を目的とする情報である場合には、通知指示情報を通知する情報に付加する。
情報編集部４１６と情報生成部４１７とにより、収集要求情報生成部を構成する。
送信情報メモリ４１８は、情報生成部４１７が生成した収集要求情報を格納する。
送信情報メモリ４１８は、一例としてリング式のファイルを用いて実現することができる。ヘッダ情報として二つのポインタ（書込みポインタと読込みポインタ）を有する。送信情報メモリ４１８は、書き込み時に、書込みポインタのアドレスから、送信する予定の収集要求情報を書き込んで、書込みポインタを次に書きこむアドレスに更新する。後述する情報送信部４１９は、読み込み時に、読込みポインタから収集要求情報を読み出し、読込みポインタを次に読み出しを開始するアドレスへ更新する。このような仕組みによって実現する。
情報送信部４１９（無線送信部の一例）は、送信情報メモリ４１８に格納された収集要求情報を取り出して送信する。送信を行う場合、複数の地区向けの収集要求情報を同一の周波数で送信する。或いは、繰り返し同じ収集要求情報を送信する必要がある場合には、収集要求情報を同一の周波数で繰り返し周期的に送信する。また、複数の地区向けの収集要求情報に対してそれぞれ異なる周波数を割り当てて多チャンネル構成で送信する。また、１フレーム中に複数の地区向けの収集要求情報を設定して送信する。
【００１５】
入力部４２６は、コンテンツ情報を利用する情報利用側２４０からネットワーク２３１を介してコンテンツ情報を生成するために必要となる情報を入力する。コンテンツ情報を生成するために必要となる情報は、例えば収集する情報の項目、収集する地区、収集する条件、収集するタイミング、作成するコンテンツの種類等を入力する。例えば、情報利用側２４０がＡ地区とＢ地区の平日の２４時間の渋滞情報のコンテンツ情報を提供してほしい場合には、収集する情報の項目は「速度値」、収集する地区は「Ａ地区及びＢ地区」、収集する条件は「速度値＜２０ｋｍ」、収集するタイミングは「月曜日から金曜日までの０：００〜１１：５９まで５分間隔」、作成するコンテンツの種類は「渋滞情報」となる。
或いは、入力部４２６は、センター装置４００が独自に提供するコンテンツ情報の種類毎にコンテンツ情報の作成に必要となる情報を入力する。入力した情報は、顧客情報記憶部４２７に格納する。例えば、センター装置４００が提供するコンテンツ情報の種類が、（１）Ａ地区情報の２４時間の渋滞情報、（２）Ｂ地区情報の２４時間の渋滞情報、（３）Ａ地区情報の６，７月の２４時間の雨量情報であったとする。上記の場合、それぞれのコンテンツ情報の生成に必要となる情報は、以下のようになる。
（１）収集する情報の項目は「速度値」、収集する地区は「Ａ地区」、収集する条件は「速度値＜２０ｋｍ」、収集するタイミングは「毎日２４時間５分間隔」、作成するコンテンツの種類は「渋滞情報」。
（２）収集する情報の項目は「速度値」、収集する地区は「Ｂ地区」、収集する条件は「速度値＜２０ｋｍ」、収集するタイミングは「毎日２４時間５分間隔」、作成するコンテンツの種類は「渋滞情報」。
（３）収集する情報の項目は「ワイパーの速度値」、収集する地区は「Ａ地区」、収集する条件は「ワイパー速度値＞０」、収集するタイミングは「６月１日から７月３１日の毎日２４時間５分間隔」、作成するコンテンツの種類は「雨量情報」。
入力部４２６は、入力した情報を顧客情報記憶部４２７へ格納する。
顧客情報記憶部４２７は、入力部４２６が入力したコンテンツを生成するために必要となる情報を、顧客毎に記憶する。顧客とは情報利用側２４０であり、センター装置４００から見ると情報利用側２４０は顧客である。または、生成するコンテンツ情報の種類毎に記憶する。
情報編集部４１６は、顧客情報記憶部４２７に記憶された情報を参照して要求情報を作成する。
情報加工部４２１（コンテンツ情報生成部の一例）は、収集情報メモリ４１５に記憶された応答情報を用いてコンテンツ情報を生成する。例えば、コンテンツ情報の種類がＡ地区の渋滞情報である場合は、収集情報メモリ４１５からＡ地区の速度値を取得して、加工する。加工の特徴については後で説明を行うが、基本的に従来からの加工方法を用いるものとする。また、生成するコンテンツ情報の種類や、地区や、生成のタイミングは、顧客情報記憶部４２７より取得するものとする。生成したコンテンツ情報は、加工情報メモリ４２３に格納する。
加工情報メモリ４２３は、コンテンツ情報をコンテンツの種類毎に、また、顧客毎に記憶する。従って、情報加工部４２１は、生成したコンテンツ情報をコンテンツの種類毎に、また、顧客毎に加工情報メモリ４２３に記憶する。
出力部４２４（コンテンツ提供部の一例）は、加工情報メモリ４２３に記憶されたコンテンツ情報を、顧客情報記憶部４２７に記憶された顧客毎の情報に基づいて、それぞれの顧客に対してネットワーク２３１を介して提供（送信）する。
対応関係記憶部４２２は、地区識別子と所定の場所（地点）を対応づけるテーブルである。地区識別子は地区情報の一例である。
図６は、対応関係記憶部４２２の一例を表す図である。図６に示した対応関係記憶部４２２では、地区識別子に対応する緯度の範囲と経度の範囲とを格納する例を示している。所定の地区識別子に関して、緯度の項目の「Ｙ以上」に格納されている数値をＹ１、「Ｙ未満」に格納されている数値をＹ２、経度の項目の「Ｚ以上」に格納されている数値をＺ１、「Ｚ未満」に格納されている数値をＺ２とすると、上記所定の地区識別子は、Ｙ１以上Ｙ２未満の緯度と、Ｚ１以上Ｚ２未満の経度となる地点が、上記地区識別子の地区に区分けされていることを意味する。
情報編集部４１６が地区情報を生成する場合、生成する元の情報は（緯度Ｙ，経度Ｚ）によって指定されるか、或いは直接地区識別子を指定されるものとする。（緯度Ｙ，経度Ｚ）によって指定される場合は，対応関係記憶部４２２を参照して、（緯度Ｙ，経度Ｚ）に対応する地区識別子を取得して、地区情報とする。直接地区識別子を指定される場合は，指定された地区識別子を地区情報とする。移動体装置３００は、対応関係記憶部４２２と同じ内容の情報を記憶した対応関係記憶部３２６を備える。同じ内容であることによって、地区識別子に対応する（緯度Ｙ，経度Ｚ）によって示される地域が統一される。
また、情報加工部４２１は、収集情報メモリ４１５に記憶されている地区情報が地区識別子である場合、その地区識別子に対応する（緯度Ｙ，経度Ｚ）を対応関係記憶部４２２から取得する。或いは、情報利用側２４０に対応関係記憶部４２２と同様の内容の記憶部をあらかじめ備えるようにすることによって、情報加工部４２１は、地区識別子を変換せずに、コンテンツ情報を受信した情報利用側２４０で地区識別子の変換を行ってもかまわない。
地図情報記憶部４２５は、従来のナビゲーション装置等で使用されている地図情報と同様の或いは、それよりもさらに詳細な地図情報を記憶するものである。
【００１６】
図７は、センター装置４００から送信される収集要求情報の一例を示した図である。
図７において、（Ａ）は、収集要求情報のフレームを示し、（Ｂ）は、一つのフレームのデータ領域１２０Ａの構成の一例を示し、（Ｃ）は、複数の地区情報を一サイクルとして、複数のサイクルの情報が収集要求情報として送信される場合を示している。
収集要求情報１００は、一つのヘッダ領域の先頭からから次のヘッダ領域の先頭の前までを一つのフレームとする。一つのフレームは、ヘッダ領域１１０Ａとデータ領域１２０Ａから構成される。図７（Ａ）では、複数のフレームを示し、アルファベット（Ａ，Ｂ，Ｃ・・・…Ｘ）を符号につけて複数のフレームそれぞれを区別している。しかしながら、特に区別する必要がない場合、ヘッダ領域１１０、データ領域１２０として記す。また、図７（Ｂ）で用いる符号も同様にアルファベットを省略することがある。
【００１７】
ヘッダ領域１１０は、フレームの管理情報等（例えば、データ領域１２０のサイズを含む）を設定する。データ領域１２０は、送信するデータの内容を設定する。データ領域１２０は、地区情報の一例である地区識別子１２１Ａと要求内容情報１２２Ａとからなる。要求内容情報１２２Ａは、地区識別子１２１Ａの示す地区の移動体装置３００から収集する情報の内容を設定する。
ここでは、一例として、収集要求情報は、複数の地区それぞれの地区情報を順番に並べて一つのサイクルを作成し、一つのサイクルを繰り返し放送する形式をしている。図７（Ｃ）に地区Ａ、地区Ｂ、地区Ｃ、・・・、地区Ｘからなる一つのサイクルを示し、一つのサイクルが放送信号の中で繰り返されている様子を示している。
【００１８】
ここで、図８を用いて、準天頂衛星２２０が中継する収集要求情報について説明する。図８は、複数に分割された地域ごとに異なるビームの収集要求情報を中継する例を示した図である。準天頂衛星２２０は、ビーム数に対応するアンテナを備える。準天頂衛星２２０は、各地域に対応するアンテナを用いて、センター装置４００から送信される収集要求情報を受信し、各地域毎の収集要求情報を照射する。このようにして、準天頂衛星２２０は、センター装置４００から送信される収集要求情報を中継する。
図８では、日本国の地域をＮ個の地域に分割し、各地域に対応するビームの収集要求情報を中継する例を示している。各地域では、地域に対応するビームの収集要求情報を受信することが可能となる。
【００１９】
次に、センター装置４００の動作について、図５と図９とを用いて説明する。
図９は、センター装置４００の動作の一例を示すフローチャート図である。
図９（Ａ）は、収集要求情報を生成して送信する収集要求情報送信処理の動作を示し、図９（Ｂ）は、送信した収集要求情報に対する応答情報を受信して所定のコンテンツ情報を生成するコンテンツ情報生成処理の動作を示している。なお、収集要求情報送信処理とコンテンツ情報生成処理とは、センター装置４００内で並行して実施することが可能であるものとする。収集要求情報送信処理が動作するタイミングとしては定期的に収集要求情報を生成する場合と、予め決められたタイミングで（例えば、渋滞情報のコンテンツ情報を生成する場合には、事故の発生をトリガーする。また、雨量情報のコンテンツ情報を生成する場合には、台風の影響を受ける範囲に入ったことをトリガーとして範囲に含まれる地区を対象に行う。）、収集要求情報を生成する。収集要求情報送信処理は，所定のタイミングで収集要求情報を送信する。動作の説明の前に、顧客情報記憶部４２７に記憶された内容の一例を図１０を用いて説明する。
図１０の顧客情報記憶部４２７には、顧客別に収集情報とコンテンツ情報に関する配信情報とが記憶されている。「顧客」の「一般」には、顧客からの依頼によってコンテンツ情報を生成するのではなく、センター装置４００が独自に生成するコンテンツ情報のための収集情報と配信情報とを設定している。「収集情報」には「地区」、「収集日時」、「収集項目」、「収集条件」がある。また、「配信情報」には「地区」、「配信日時」、「配信項目」がある。収集要求情報送信処理では、「収集情報」の「地区」、「収集項目」、「収集条件」に基づいて収集要求情報を生成し、「収集日時」に基づいて収集要求情報を送信する。また、コンテンツ情報生成処理では、「配信情報」の「地区」、「配信日時」、「配信項目」に基づいてコンテンツ情報を生成し、「配信日時」、「配信項目」に基づいてコンテンツ情報の配信を行う。
【００２０】
図９（Ａ）の収集要求情報送信処理では、情報編集部４１６は、顧客情報記憶部４２７から「収集情報」の「収集日時」を確認して収集要求情報を作成するタイミングの到来しているものを選択する（Ｓ３１）。例えば、本日の日付及び現在時刻と「収集日時」とを比較して「収集日時」が本日の日付と一致して、かつ、「収集日時」が現在時刻よりも後の時刻のものを選択する。また、「収集日時」に「２４時間」と設定されているものや「１７：００〜２２：００」と時間帯の設定のあるものは、一度収集要求情報を作成したものを流用できるので、Ｓ３１で選択する場合には、重複して選択しないような制御を行う。制御を行わない場合には、現在時刻が「収集日時」に設定されている時間帯に含まれるか含まれないか判定して、含まれる場合に選択する。
顧客情報記憶部４２７からの選択を終了すると、情報編集部４１６は「地区」に設定されている情報を地区情報に相当する地区識別子に変換する。さらに、「収集条件」に設定されている情報に基づいて収集する項目を示す項目情報と収集する場合の条件情報を生成する（Ｓ３２）。図１０のように「地区」に「地区Ａ」のように予め「地区識別子」が設定されている場合は変換は不要である。「地区」に「緯度、経度」が設定されている場合には、図６に一例を示した対応関係記憶部４２２を参照して「緯度、経度」より対応する地区識別子に変換する。地区識別子及び項目情報、条件情報は、移動体装置３００側で理解できるような形式に編集を行う。情報編集部４１６は、編集した地区識別子と項目情報と条件情報とを情報生成部４１７に出力する。
情報生成部４１７は、地区識別子と項目情報と条件情報とを入力して、これらの入力した情報に対して応答を要求するものであることを示す応答要求指示情報を付加する。項目情報と条件情報と応答要求指示情報とが要求内容情報１２２に相当する。要求内容情報を生成すると、ヘッダ情報を生成する（Ｓ３３）。生成した要求内容情報と地区識別子とヘッダ情報とを収集要求情報として送信情報メモリ４１８に記憶する（Ｓ３４）。
【００２１】
図１１は、送信情報メモリ４１８の一例を示した図である。図１１の例では、上記したＳ３１の処理で「収集日時」に時間帯が設定されている場合であって現在時刻が設定された時間帯に含まれている場合に収集要求情報を生成して、生成した収集要求情報を記憶するメモリの一例を示すものである。送信情報メモリ４１８は、管理情報と送信情報とから構成される。管理情報は、アドレスを特定するポインタと、送信する収集要求情報の送信順序を指定する送信順序情報とから構成される。ポインタは、次に読み出す送信情報のアドレス、および、次に書きこむ送信情報のアドレスを示す。ポインタの初期値は、送信情報の先頭のアドレスが設定される。送信情報は、ヘッダ情報と地区識別子と要求内容情報とからなる複数の収集要求情報から構成される。送信順序情報は、例えば事故が発生して早急に渋滞状況を確認する場合や、台風の接近によって雨量を早急に確認する場合などに使用する。つまり、送信順序情報には、早急に情報を収集したい地区の地区識別子を設定しておき、設定した地区識別子の収集要求情報を送信する優先順位を高くするためのものである。このため、特に所定の地区の情報を早急に確認する必要が無い場合には、送信順序情報の設定は行わない。送信順序情報の設定が無い場合は、次に読み出すポインタのアドレスから収集要求情報を取り出す。
また、収集要求情報を生成するタイミングが収集要求情報を送信するタイミングに比べて早い場合（例えば、送信を行う前日に収集要求情報を生成する場合）には、ヘッダ情報の前に送信のタイミングを示す送信タイミング情報を付加する。送信タイミング情報は、Ｓ３１の処理で顧客情報記憶部４２７の「送信日時」を基に情報編集部４１６が生成する。生成された送信タイミング情報は情報生成部４１７に入力されて、ヘッダ情報や地区識別子や要求内容情報とともに送信情報メモリ４１８に記憶される。このとき、読み出しポインタは次に読み出すアドレスを指定するので、送信情報メモリ４１８には送信タイミング情報の示すタイミングの早い順に記憶されることが要求される。このように、送信情報メモリ４１８のファイル構成は、いろいろなファイル構成が考えられる。このため、図１２に示した送信情報メモリ４１８のファイル構成は一例であり、図１２に示した構成に限られるわけではない。
【００２２】
情報送信部４１９は、送信情報メモリ４１８から収集要求情報を取り出し、図７の（Ａ）に示す形式に収集要求情報を変換して、変換した収集要求情報１００をアンテナ４１１を介して無線送信する。例えば、図１１の「ヘッダ情報Ａ，地区情報Ａ，要求内容情報Ａ」を図７のヘッダ領域１１０Ａとデータ領域１２０Ａに設定し、「ヘッダ情報Ｂ，地区情報Ｂ，要求内容情報Ｂ」を図７のヘッダ領域１１０Ｂとデータ領域１２０Ｂに設定し、「ヘッダ情報Ｃ，地区情報Ｃ，要求内容情報Ｃ」を図７のヘッダ領域１１０Ｃとデータ領域１２０Ｃに設定する。
【００２３】
図７に示した収集要求情報１００のデータフォーマットと異なるデータフォーマットの収集要求情報の例を図１２に示す。図１２（Ａ）は、同一の地区識別子を有する要求情報を一つのフレーム内に有すると共に、移動体装置３００に対して情報の通知のみを行うものを同じフレームに設定した例を示す。データ領域１２０Ａには、一つの地区識別子１２１Ａがあり、応答要求指示情報に続いて顧客別に要求情報が複数設定されている。顧客Ａ用要求情報〜顧客Ｄ用要求情報は、一つの地区識別子１２１Ａに対応するものである。続いて、通知のみを行うための情報が通知指示情報の後ろに「交通情報」、「気象情報」、「配置情報」の順に設定されている。この「交通情報」、「気象情報」、「配置情報」も、一つの地区識別子１２１Ａに対応するものである。このように移動体装置３００に対して応答を要求する要求情報と共に通知のみを行う通知情報を同一のフレーム内に設定することも可能である。
また、同一の地区に対する要求情報や、通知情報は、一つのフレーム内に設定してまとめることが可能である。
図１２（Ｂ）は、同一の地区識別子を持つ要求情報を一つのフレームにまとめて設定した例である。
図１２（Ｃ）は、一つの地区識別子に対応する地区に向けて通知情報を送信するための例である。データ領域１２０Ａ〜１２０Ｘはそれぞれサイズが異なるが、このようにサイズの異なるフレームを図７（Ａ）のようにそれぞれのフレームをつなげて収集要求情報１００とすることができる。各フレームの長さは、各フレームの先頭に付与されているヘッダ領域１１０にそのフレームの長さが設定されている。このため、各フレームの長さは異なっていても構わない。
図１２（Ａ）や（Ｂ）のように同一の地区識別子に対応する要求情報を一つのフレームにまとめる場合には、送信情報メモリ４１８のファイル形式を先に説明した図１１とは異なる形式にする必要がある。ここでは、具体的なファイル形式について説明は省略する。
【００２４】
以上のように、センター装置４００が生成する収集要求情報は、情報送信部４１９が送信する収集要求情報の１つフレームに同一の地区識別子について複数の要求情報を設定したり、異なる地区識別子それぞれについて要求情報を１つ或いは複数設定することが可能であることを特徴とする。また、１つのフレームに応答を要求することを目的とする要求情報と通知することを目的とする通知情報とをいっしょに設定できることを特徴とする。
【００２５】
情報送信部４１９からは、１フレーム毎に無線送信が行われるため、１フレーム中に設定された１つ以上の地区識別子に対応する地区の移動体装置３００には収集要求情報が同報送信される。従って、移動体装置３００は同じタイミングで、つまり、他の移動体装置と同時に収集要求情報を受信出来る効果がある。この結果、センター装置４００が移動体装置３００から送信される応答情報に同時性を確保することが出来る効果がある。
【００２６】
また、地区を指定して収集要求情報を送信するため、複数の移動体装置３００に対して個々に収集要求情報を送信することと比較して、送信におけるトラフィックを解消できる効果がある。
【００２７】
また、収集要求情報には条件情報を設定して条件を満足するものだけに応答を行うことを限定できるため、収集情報を絞り込むことができ、移動体装置３００から送信される応答情報のトラフィックを解消できる効果がある。
【００２８】
次に、応答情報を受信してコンテンツ情報を生成するコンテンツ情報生成処理を説明する。
図９（Ｂ）がコンテンツ情報生成処理のフローチャートである。
図９において、通信部４１３は、ネットワーク２３０を介して移動体装置３００から収集要求情報に対する応答情報を受信する（Ｓ３６）。ここで、応答情報を受信するのは情報受信部４１２でもかまわない。通信部４１３は、携帯電話網であるネットワーク２３０を介して受信する。一方情報受信部４１２は、準天頂衛星２２０に中継された応答情報を無線によりアンテナ４１１を介して受信する。通信部４１３は、受信した応答情報を情報収集部４１４に出力し、情報収集部４１４は応答情報を収集情報メモリ４１５に記憶する（Ｓ３７）。ここで、応答情報のフォーマットの一例と、収集情報メモリ４１５に記憶する応答情報の形式の一例を説明する。
図１３は、応答情報のフォーマットの一例を示す図である。図１３（Ａ）において、応答情報１３０は、ヘッダ情報１３１と、応答情報の送信元である移動体装置が応答情報を送信した位置を確認できる位置確認情報としての地区識別子１３３と、センター装置４００が必要とする移動体装置３００側の収集情報１３４とを有する。位置確認情報は、移動体装置の位置を示す位置情報でもかまわない。収集情報１３４の詳細を図１３（Ｂ）に示す。図１３（Ｂ）によると、収集情報１３４は、移動体装置３００が収集した情報が何であるかを示す収集項目情報１３４Ａと、収集した値である収集値情報１３４Ｂと、送信元の移動体装置３００を特定する送信者情報１３４Ｃと、移動体装置３００の位置を示す送信者位置情報１３４Ｄと、送信の開始日時を示す送信日時情報１３４Ｅとを有する。送信者位置情報１３４Ｄは、地区識別子１３３に設定された位置確認情報が地区識別子であるときに設定が行われ、地区識別子１３３に設定された位置確認情報が送信元の位置情報であるときは設定が行われないものとする。また、生成するコンテンツ情報の種類や内容によって必要となる情報が異なるので，応答情報が有する情報は図１３に示す限りではない。
【００２９】
図１４は、収集情報メモリ４１５が記憶する応答情報の一例を示す図である。図１４において、収集情報メモリ４１５には地区別の収集日時別に「収集項目」、「収集地」、「送信者」、「送信者位置」とが記憶される。応答情報の有する情報との対応は、「地区」には地区識別子１３３に設定された位置判定情報によって判定される地区識別子が記憶される。地区識別子１３３に設定された地区識別子がそのまま設定される場合と、地区識別子１３３に設定された送信元の位置情報を元にして対応関係記憶部４２２を参照して決定した地区識別子を設定する場合とがある。「収集日時」は、送信日時情報１３４Ｅを設定する。「収集項目」には収集項目情報１３４Ａを設定する。「収集値」には、収集値情報１３４Ｂを設定する。「送信者」には、送信者情報１３４Ｃを設定する。「送信者位置」には、送信者位置情報１３４Ｄを設定する場合と、地区識別子１３３に設定されている情報を設定する場合とがある。収集情報メモリ４１５は、コンテンツ情報を収集するときに使用する情報を記憶するものであるため、コンテンツ情報の生成を容易に行うことができるようなフォーマットにすることが望ましい。図１４に一例を示した収集情報メモリ４１５のフォーマットはこの限りではない。
【００３０】
Ｓ３８では、情報加工部４２１は、顧客情報記憶部４２７を参照して、生成するコンテンツ情報の種類を決定し、決定した種類のコンテンツ情報を生成するために必要な元情報を収集情報メモリ４１５より取得する。例えば、コンテンツ情報の種類が渋滞状況を示すものである場合には、図１４より「収集項目」が「速度」である収集値を元情報として取得する。また、コンテンツ情報は、地区別に生成するため、顧客情報記憶部４２７よりどの地区についてコンテンツ情報を生成するのかを判断する情報も取得する。図１０の顧客情報記憶部４２７には「配信情報」があり、この配信情報がコンテンツ情報を生成する場合に必要となる情報である。コンテンツ情報の種類は、「配信項目」を参照して決定できる。
また、コンテンツ情報を生成する地区の判定については「地区」を参照して決定できる。
また、コンテンツ情報の種類としては、他には雨量状況がある。雨量状況のコンテンツ情報を生成する場合には、収集情報メモリ４１５より「収集項目」が「ワイパー」である収集値を取得する。「ワイパー」は、車輌のワイパーの動作状況を示す値であり、その値が「強」である場合には、単位時間あたりの降水量が多いことが考えられる。例えば、「強」である場合は、降水量を５０ｍｍ／時間と設定してコンテンツ情報を加工する。以上がコンテンツ情報の加工処理Ｓ３８の処理である。情報加工部４２１は、加工したコンテンツ情報を加工情報メモリ４２３に記憶する（Ｓ３９）。加工情報メモリ４２３に記憶される情報のフォーマットの一例を図１５に示す。図１５において、加工情報メモリ４２３にはコンテンツ情報の種類である「提供情報項目」別の「地区」別の「日時」別にコンテンツ情報が「詳細提供情報」に記憶されている。加工情報メモリ４２３に記憶する情報の内容は、顧客が必要とするコンテンツ情報の内容によって異なる。また、センター装置４００が独自に提供するコンテンツ情報の内容によっても異なる。また、センター装置４００が情報利用側２４０へどのように提供をするかによっても異なる。このため、図１５に一例を示した加工情報メモリ４２３の内容はこの限りではない。
出力部４２４は、所定のタイミングで加工情報メモリ４２３からコンテンツ情報を取り出してネットワーク２３１を介して情報利用側２４０へコンテンツ情報を提供する（Ｓ４０）。このとき出力部４２４は顧客情報記憶部４２７を参照して、どのコンテンツ情報をどの顧客がどのタイミングで必要としているのかを確認し、顧客別に必要とするタイミングに合わせて自動的にコンテンツ情報を顧客へ提供する。あるいは、顧客からのコンテンツ情報の提供を要求する情報が入力された場合に（入力は入力部４２６が行うものとする）、要求されているコンテンツ情報を加工情報メモリ４２３より取り出して提供を行っても構わない。また、加工情報メモリ４２３をインターネットからアクセス可能な環境へデータベースとして提供し、インターネットに接続できる環境であればいつでもどこからでもコンテンツ情報のアクセスができるようにしても構わない。
また、通信部４１３が加工情報メモリ４２３よりコンテンツ情報を取得して取得したコンテンツ情報をネットワーク２３０を介して移動体装置３００へ提供しても構わない。この時、コンテンツ情報を送信する移動体装置３００を識別する宛先は、例えば、収集情報メモリ４１５に記憶されている応答情報の「送信者」を用いる。
また、情報送信部４１９あるいは情報編集部４１６が加工情報メモリ４２３を参照してコンテンツ情報を取得し、収集要求情報を送信するタイミングで通知情報としてアンテナ４１１を介して情報送信部４１９からコンテンツ情報を無線送信しても構わない。情報送信部４１９から送信すると、対象とする地区の移動体装置３００をそれぞれ１つずつ指定することなく同報送信することができる。
【００３１】
センター装置４００が移動体装置３００より受信する応答情報は、同時性が確保されている。このため、生成するコンテンツ情報は、同時性の高いコンテンツ情報となる。従来は移動体装置からの応答は、移動体装置毎にバラバラに送信されていたので、同時性が低く、これらの同時性の低い応答情報を用いて生成するコンテンツ情報は同時性の低いコンテンツ情報となっていた。しかし、この実施の形態のセンター装置を用いることによって、従来のものに比べて同時性の高いコンテンツ情報を生成することが可能となる効果がある。
また、コンテンツ情報を提供する利用者側よりコンテンツ情報を生成するために必要となる情報を指示する顧客情報を入力するので、提供するコンテンツ情報を真に顧客が希望するものにすることができる。また、顧客用のコンテンツ情報を提供できるので、顧客別に質の高いサービスを提供できる。
【００３２】
実施の形態２．
実施の形態２では、移動体装置３００について説明を行う。
図１６は、移動体装置３００の構成の一例を表した図である。
アンテナ３１１は、移動体装置３００の外部に設置され、ＧＰＳ衛星２１０から照射されるＧＰＳ信号を受信する。
ＧＰＳ信号受信部３１２は、アンテナ３１１が受信したＧＰＳ信号を入力する。
位置測位部３１３は、ＧＰＳ信号受信部３１２が受信したＧＰＳ信号を用いて、移動体装置３００の位置を特定する位置情報を算出する。位置情報の算出については、ここでは詳細な説明は省略する。また、位置情報の算出にあたっては、精度の高い位置情報を取得するために、補正信号を用いるが、この点に関しても説明を省略する。なお、ＧＰＳ信号及び補正信号を、準天頂衛星２２０を介して受信することによって、位置情報の精度を向上させることができる。
【００３３】
アンテナ３２１は、移動体装置３００の外部に設置され、センター装置４００が無線送信して準天頂衛星２２０が中継する収集要求情報を受信する。
無線受信部３２２は、アンテナ３２１が受信した収集要求情報を入力する。
情報選択部３２３（地区比較部の一例）は、無線受信部３２２が受信した収集要求情報を受信し、収集要求情報の有する地区識別子を用いて情報を選択するとともに、応答要求指示情報と通知指示情報とのいずれが収集要求情報に含まれているかによって情報を選択する。
出力部３２４は、情報選択部３２３が選択した情報が、移動体装置３００の利用者への表示を必要とする場合に、その情報を表示装置３２５へ出力する。
地図情報記憶部３５０は、カーナビゲーションシステムで使用しているような地図情報を記憶する。地図情報上に情報選択部３２３が選択した情報をマッピングして表示する必要がある場合には、出力部３２４は地図情報記憶部３５０よりマッピングする地図情報を取得して、取得した地図情報に情報選択部３２３が選択した情報をマッピングして表示装置３２５へ出力する。
【００３４】
表示装置３２５（表示部の一例）は、出力部３２４が出力した情報を表示する装置である。表示装置３２５の一例として、モニタ、液晶画面等、情報（静止画、動画、テキスト情報、イメージ情報等）を表示できる装置であればよい。
対応関係記憶部３２６は、図５のセンター装置４００の備える対応関係記憶部４２２と同じである。
【００３５】
地区判定部３２７は、緯度と経度とを含む位置情報を位置測位部３１３より入力し、入力した位置情報に対応する地区識別子を、対応関係記憶部３２６を用いて判定する。
センサー装置３４４は、移動体装置３００の外部に設置され、速度センサー３４５によって例えば移動体装置３００を搭載している車両の速度を検出したり、ワイパーセンサー３４６によって車両のワイパーの動作状態を検出したり、ライトセンサー３４７によって車両のライトの光度を検出する。センサーの種類は移動体装置３００を搭載しているものによって異なる。また、別のセンサーが備えられることもある。
検出装置３４０（検出部の一例）は、センサー装置３４４からセンサー値を入力する。センサー値の入力は一定の周期で繰り返し行うものとする。速度検出器３４１は、速度センサー３４５から速度のセンサー値を入力する。ワイパー検出器３４２は、ワイパーセンサー３４６からワイパーのセンサー値を入力する。ライト検出器３４３は、ライトセンサー３４７からライトのセンサー値を入力する。
入力部３２８は、条件判定部３５１からの指示を受けて、検出装置３４０から指示されたセンサー値を入力して条件判定部３５１に出力する。
条件判定部３５１は、情報選択部３２３で応答要求指示情報が収集要求情報に含まれているとき、収集要求情報の要求内容情報に含まれている項目情報についてセンサー値を検出装置３４０より入力することを入力部３２８に指示する。入力部３２８よりセンサー値が出力されるとそれを入力して、応答情報生成部３５２に出力する。この時、条件情報が要求内容情報に設定されいると、入力したセンサー値と条件情報に設定されている条件とを比較して、センサー値が条件を満足する場合だけセンサー値を応答情報生成部３５２に出力する。
応答情報生成部３５２は、センサー値を用いて応答情報を生成して、応答情報を通信部３５３へ出力する。ここでは生成する応答情報として図１３の応答情報１３０を生成する。センター装置４００で生成するコンテンツ情報の種類や内容によって、応答情報の内容は決められるものとする。
入力装置３２９（項目応答部の一例）は、ユーザが情報を入力するための装置であり、例えば、キーボード、テンキー等のキー、マウス等、ユーザが入力する情報を入力部３２８へ伝達できる装置であればよい。
通信部３５３は、応答情報をネットワーク２３０を介して送信する。さらに、コンテンツ情報をセンター装置よりネットワーク２３０を介して入力する。
応答信号送信部３５４は、応答情報を応答情報生成部３５２より入力して、アンテナ３２１を介して無線送信する。
【００３６】
次に、動作について説明する。
まず、移動体装置３００の動作を、図１６と図１７とを用いて説明する。
図１７は、移動体装置３００の動作の一例を示すフローチャート図である。
移動体装置３００は、電源（図１６には示していない）がＯＮになると、無線受信部３２２は、準天頂衛星２２０から照射される収集要求情報を受信することを開始する（図１７には示していない）。また、自己の位置の測位を開始する。すなわち、ＧＰＳ信号受信部３１２は、アンテナ３１１を介してＧＰＳ衛星２１０からＧＰＳ信号を受信する（Ｓ１１）。位置測位部３１３は、ＧＰＳ信号受信部３１２が受信したＧＰＳ信号を用いて測位し、自己の位置情報を取得する（Ｓ１２）。ここでは、測位の詳細な説明は省略する。
位置測位部３１３は、取得した位置情報を地区判定部３２７へ出力する（Ｓ１３）。
【００３７】
地区判定部３２７は、入力した位置情報を用いて位置情報が含まれる地区識別子を対応関係記憶部３２６を参照して取得する（Ｓ１４）。位置情報は緯度情報と経度情報とを有しているため、緯度情報と経度情報とを用いて対応関係記憶部３２６から地区識別子を取得できる。取得した地区識別子を情報選択部３２３へ出力する。アンテナ３２１を介して無線受信部３２２により受信された収集要求情報が情報選択部３２３へ出力される。情報選択部３２３は、周期的に収集要求情報の受信を確認する（Ｓ１５）。情報選択部３２３は、収集要求情報の地区識別子と地区判定部３２７から入力した地区識別子とが一致するかしないかを判定する（Ｓ１６）。一致しない場合は、その収集要求情報を破棄する。一致する場合は、さらに、収集要求情報に応答要求指示情報と通知指示情報とのどちらが設定されているか確認する（Ｓ１７）。応答要求指示情報が設定されている場合は、応答情報の生成処理を行う。通知指示情報が設定されている場合には、通知情報を表示する処理を行う。両方が設定されている場合には、通知を行うＳ２２〜の処理へ分岐し、応答が要求されている情報はＳ１８〜の処理へ分岐して、２つの処理を並行して行う。
応答情報を生成する処理では、まず始めに、条件判定部３５１が情報選択部３２３より収集要求情報を入力する。収集要求情報に含まれている項目情報の示す項目のセンサー値を入力部３２８に対して入力するよう指示を行う。入力部３２８は指示された項目に該当する検出器よりセンサー値を取得し、取得したセンサー値を条件判定部３５１へ出力する。例えば、項目情報が「速度」である場合は、入力部３２８は速度検出器３４１より速度センサー値を入力して条件判定部３５１へ渡す（Ｓ１８）。さらに条件判定部３５１は、収集要求情報に条件情報が設定されている場合には取得したセンサー値が条件を満足するかしないかを判定する（Ｓ１９）。例えば、条件情報に「速度＜２０ｋｍ」と設定されている場合には、取得した速度センサー値が２０ｋｍである場合は条件を満足しないので処理を終了する。２０ｋｍよりもセンサー値が小さい場合には、条件判定部３５１は収集要求情報とセンサー値とを応答情報生成部３５２に対して出力する。応答情報生成部３５２は入力したセンサー値と収集要求情報を用いて応答情報を生成する（Ｓ２０）。応答情報のフォーマットは、例えば、図１３に示すフォーマットであると説明をした。図１３のフォーマットの応答情報を作成する場合には、応答情報生成部３５２は地区識別子１３３に収集要求情報の地区識別子を設定する。また、収集項目情報１３４Ａには収集要求情報の収集項目を設定する。収集値情報１３４Ｂには取得したセンサー値を設定する。送信者情報１３４Ｃには予め移動体装置３００に固有の情報が割当てられてメモリに格納されている移動体装置３００を識別するための情報を設定する。送信者位置情報１３４Ｄには、位置測位部３１３によって測位された位置情報を設定する。或いは、地区識別子１３３に地区識別子を設定すれば、送信者位置情報１３４Ｄには情報を設定しなくても構わない。送信日時情報１３４Ｅには、応答情報を生成した日時、あるいはセンサー値を検出した日時を設定する。応答情報生成部３５２は、生成した応答情報を通信部３５３へ出力し、通信部３５３は入力した応答情報をネットワーク２３０を介してセンター装置４００へ送信する（Ｓ２１）。応答情報は、通信部３５３から送信する他に応答信号送信部３５４（通信部の一例）からアンテナ３２１を介して無線送信を行っても構わない。
【００３８】
通知指示であった場合の処理を説明する。情報選択部３２３はＳ１７で通知指示であった場合、収集要求情報を出力部３２４へ出力する。出力部３２４は通知指示情報に続けて設定されている情報を表示装置３２５より表示する。このとき、通知された情報に地図情報をマッピングする場合には、地図情報記憶部３５０より地図情報を入力して地図情報と通知情報とをマッピングする（Ｓ２２）。
出力部３２４は、地図情報にマッピングした通知情報を表示装置３２５に表示する（Ｓ２３）。
【００３９】
Ｓ１８では、条件判定部３５１は入力部３２８を介してセンサー値を検出装置３４０より取得していた。しかし、センサー値を収集する他に移動体装置３００を利用する利用者の作業状況を収集する場合や、タクシーが移動体装置３００を搭載している場合などにタクシーの空車状況等を収集情報として収集する場合がある。このような場合には、表示装置３２５より利用者に対して収集したい情報の入力を促すメッセージを表示し、入力装置３２９から利用者が所定の情報を入力することを待ち、所定の情報を入力された入力装置３２９が入力情報を条件判定部３５１へ出力する。例えば、宅配便のトラックが移動体装置３００を搭載している場合に作業状況を収集する要求情報であると表示装置３２５から運転者に対して作業情報の入力を促すメッセージが表示される。運転者は、現在の作業を入力装置３２９より入力する。入力された作業状況は、条件判定部３５１へ入力されて応答情報生成部３５２へ出力される。収集値情報に入力装置３２９より入力された入力情報が設定されて応答情報が生成され、通信部３５３あるいは応答信号送信部３５４よりセンター装置４００へ応答情報が送信される。
【００４０】
通信部３５３が通知を目的とする情報をネットワーク２３０を介して受信した場合は、Ｓ２２からの処理を行う。
【００４１】
移動体装置３００は、上記したように動作する。本システムでは収集情報を増やすために、移動体装置３００は全車両に搭載されていることが望ましいが、例えば交通流のモニタには、搭載率がある程度であれば十分にその機能を満足することを、以下に図１８を用いて説明を行う。
【００４２】
移動体装置３００からセンター装置４００へ応答情報を送信する場合の応答率について図１８を用いて説明する。
図１８は、移動体装置の車両への搭載率と収集間隔に対する、交通流のモニタ度合い（リンク旅行推定時間）の関係を示したグラフ例を示す図である。
図１８では、縦軸にリンク速度推定誤差率（以下、誤差率と称する）を示し、横軸にプローブカー率を示し、通信周期を５分おきと１分おきとの２つについて比較できるように図示している。プローブカー率とは、所定の地区、例えば地区Ａにある全車両のうち移動体装置３００を搭載している車両の率を示している。グラフ上左から右へ搭載率が高くなっている。誤差率は、移動体装置３００からセンター装置４００へ応答情報が到着しない誤差率を示している。グラフ上、上から下へ誤差率が低くなっている。つまり、下へ向かって到着率が高くなる。図１８によるとプローブカー率が１０％である時、通信周期が５分の場合の誤差率は約２５％であり、通信周期が１分の場合の誤差率は約２０％である。これは、プローブカー率が１０％である時、通信周期が５分の場合の到着率は約７５％（１００％−２５％）であり、通信周期が１分の場合の到着率は約８０％（１００％−２０％）であることを示す。プローブカー率が１００％である時、通信周期が５分の場合の到着率は約８０％であり、通信周期が１分の場合の到着率は約９０％である。例えば、センター装置４００でコンテンツ情報として渋滞情報を生成するとすると、調査する地区の１０％の車両に移動体装置３００が搭載されていると通信周期を１分とすると、７５％〜８０％の率で応答情報を収集できる。従って、この応答情報に基づいて作成されたコンテンツ情報は信頼性の高い渋滞情報であると考えられる。さらに、調査する地区の１００％の車両に移動体装置３００が搭載されていると通信周期を１分とすると、８０％〜９０％の率で応答情報を収集できる。従って、この応答情報に基づいて作成されたコンテンツ情報はさらに信頼性の高い渋滞情報であると考えられる。
【００４３】
次に、センター装置４００から移動体装置３００へコンテンツ情報が通知され、移動体装置３００が受信したコンテンツ情報を表示装置３２５へ表示する例を説明する。
図１９は、コンテンツ情報を表示装置に表示した例を示す図であり、（Ａ）は渋滞を示す交通情報のコンテンツ情報を表示した例、（Ｂ）は雨量を示す気象情報のコンテンツ情報を表示した例、（Ｃ）は警備員等の配置情報のコンテンツ情報を示した例である。センター装置４００では移動体装置３００より同時性をある応答情報を受信できるので、同時性のある応答情報を元に作成されたコンテンツ情報は、信頼性が高いと考えられる。また、移動体装置３００は収集要求情報を受信して直ちに応答情報を返し、センター装置４００は応答情報を受信すると直ちにコンテンツ情報を生成し、移動体装置３００へ直ちに生成したコンテンツ情報を配信する。このため、移動体装置３００はリアルタイム性の高いコンテンツ情報を取得でき、今現在の状態に近いコンテンツ情報を確認できる効果がある。
また、移動体装置３００の位置を準天頂衛星を使用して測位しているため、測位精度が高く、例えば図１９（Ａ）の交通情報の表示では、５ｋｍと３ｋｍの渋滞の分かれ目を詳細に確認できる。図１９（Ａ）によると、十字路を直進する道路と左折して直進する道路に合流する道路とはそれぞれ３ｋｍの渋滞であり、合流した後の直進道路は５ｋｍの渋滞となっている。また、図１９（Ｂ）の例では５０ｍｍ／時間の雨量の地域と１０ｍｍ／時間の雨量の地域との分かれ目を詳細に確認できる。また、図１９（Ｃ）の例では、警備員が１０以上配置されている地点と、５人以下の配置点とを詳細に確認できる。
【００４４】
以上のように、実施の形態２では、移動体装置３００は、地区情報を有する収集要求情報をセンター装置４００より受信して、自己の位置が上記地区情報の示す地区に含まれている場合に、要求されている収集情報を取得して、取得した収集情報を応答情報に含めてセンター装置４００へ送信する。このように、収集要求情報が地区情報を有しているため、個々の移動体装置を指定する情報が収集要求情報に含まれていなくても、移動体装置３００は処理すべき収集要求情報であるか否かを判断できる。
また、収集情報に対して条件情報が設定されているため、条件を満足する場合に応答を行うので、不要な応答を行うことを避けることができ、トラフィックの発生を防止できる。また、通信料金を抑えられる。
また、移動体装置３００は、準天頂衛星からの情報を元に自己の位置を測位している。このため、例えば、移動体装置を搭載する車両が主要な幹線道路ではなく地元以外の人が知らないような裏道を走行していても、自己の位置を正確にセンター装置へ応答できる。また、山道やビル陰等の電波の届きにくい位置に移動体装置があっても、自己の位置を測位してセンター装置へ応答できる。また、応答はネットワークを介しても準天頂衛星を介しても送信できるため、いずれかの通信状態が悪い場合、または、一方が通信不可になった場合にはもう一方の通信手段によって応答できる。
また、センター装置が作成した同時性の高い、かつ、リアルタイム性の高いコンテンツ情報を受信して表示するので、表示されたコンテンツ情報を用いて、例えば、渋滞の回避を行ったり、人員の配置位置の変更を行ったり、雨降りに対する対処を行ったり、コンテンツ情報を利用した対応の結果について高い効果を望むことができる。
また、コンテンツ情報は、ネットワークを介して、或いは、準天頂衛星を介して受信できるので、いずれかの通信手段が使用不可になった場合であっても、他方の通信手段を利用して受信できる。
また、収集を要求されている情報を手入力や画面タッチ入力やペン入力等の入力動作によって入力できるので、機械的に取得できない情報の収集を要求されている場合であっても、対応できる。また、機械的に情報を収集する手段が使用できなくなった場合には、自動入力に代って入力動作によって対処できる。
【００４５】
実施の形態３．
センター装置４００が送信する収集要求情報の送信タイミングについて説明する。
図２０は、収集要求情報のフォーマットの一例を示す図である。図２０のように、収集要求情報は、地区別に生成され、センター装置４００から送信するときは、異なる地区の収集要求情報を１つのフレームに混在して送信する。また、１つのフレーム中には、同一の地区であって、収集を要求する情報が異なる収集要求情報が混在してもかまわない。また、１つのフレーム中には、収集を要求する情報が同じであって、地区が異なる収集要求情報が混在してもかまわない。
また、同一の地区であって、収集を要求する情報が異なる場合には、図１２のように１つの地区に対して複数の要求内容情報を付加したフォーマットでもかまわない。
また、図１２のように、応答を要求する情報と通知を行う情報とが１フレーム中に混在してもかまわない。
センター装置４００の情報送信部４１９は、１フレームに含まれた収集要求情報を同報送信する。
【００４６】
図２１は、周期的に収集要求情報を送信する例と、多チャンネルで収集要求情報を送信する例を示す図である。
始めに、周期的に収集要求情報を送信する具体例を説明する。
例えば、カーライフサポート（カーライフサポートの一例として、運転者の安全を情報の入力によって通知するものがある）のように、移動体装置３００を搭載している車両からの応答が必要となるものには、収集要求情報を周期的に繰り返し送信して、確実に応答をもらう。一方、渋滞情報のように同時性が有効なもので、応答は全体の数％でよいといったものについては、周期的に送信するのではなく一回の送信でかまわない。
次に、多チャネルで収集要求情報を送信する具体例を説明する。
目的別（例えば、交通渋滞のコンテンツ情報を作成することを目的にする収集要求情報と、気象情報のコンテンツ情報を作成することを目的にする収集要求情報とがあった場合）に別々の周波数を割り当てて送信する。目的が異なる場合にはフレームをかえても対応できる。
センター装置４００の情報送信部４１９は、多チャンネルで送信する場合であっても、複数の通信手段を有して、各チャネルごとに同じタイミングで送信する（同報）ことを可能にする構成であるものとする。或いは、複数の通信手段を有することができない場合には、チャネル別にタイミングをずらして送信する。
【００４７】
また、図２１に示す地区識別子は、大、中、小の階層を有している。例えば、「Ａ地区」が「ア地区、イ地区、ウ地区」により構成され、上記「ア地区」が「た地区、ち地区、つ地区」に構成されているような、地区を階層で管理している場合に使用する。地区識別子を階層化することによって、情報を収集する地区が「ア地区、イ地区、ウ地区」であるとき、「ア地区、イ地区、ウ地区」をそれぞれ別々に設定することなく、「Ａ地区」と１つ設定すればよい。
【００４８】
以上のように、この実施の形態では、目的にあわせて収集要求情報を周期的に送信したり、或いは、目的別に周波数を割り当てて送信する。このため、目的にあった応答情報の通知が行われる。
また、地区情報が複数であっても、それぞれの地区情報の収集要求情報は、同報で送信されるので、応答情報に同時性を確保できる。
また、地区情報が１つであって、１つの地区情報に対して収集要求情報が複数（この場合の収集要求情報はそれぞれ異なるものとする）設定されていても、収集要求情報は同報によって送信されるので、応答情報に同時性を確保できる。このため、異なる収集要求情報に何らかの関係があると考えられる場合には、それぞれの収集要求情報に対する応答情報を比較して、その関係を確かめることができる。例えば、渋滞と雨量とに何らかの関係が考えられるような場合には、渋滞情報と雨量情報とを比較して両者の関係を確認できる。
【００４９】
実施の形態４．
この実施の形態では、認証手段を移動体装置３００に備える場合を説明する。
例えば、複数の異なるタクシー会社の所有するタクシーにそれぞれ移動体装置３００が搭載されている環境を想定する。このような環境において、センター装置４００から空車情報を収集することを目的とする収集要求情報を送信するが、すべてのタクシー会社のタクシーを対象にするのではなく、例えば、Ａ，Ｂ，Ｃ，Ｄ会社のうちＡ会社とＢ会社との有するタクシーを対象にしたい場合があるとする。この場合、タクシー会社を区別する手段を設けていないと、Ｃ会社とＤ会社のタクシーが収集要求情報を受信して処理をおこなってしまう。そのため、移動体装置３００に認証手段を設けて、センター装置４００は収集要求情報に会社を判断する電子署名を付加する。移動体装置３００は、受信した収集要求情報の電子署名を検証する。署名検証が失敗した場合には、その収集要求情報は破棄する。署名検証が成功した場合に、その収集要求情報を処理する。
【００５０】
実施の形態５．
上記した実施の形態では、図６に示したように緯度情報と経度情報とに対応させて地区識別子を設定していた。しかし、例えば、東名高速道路全体の交通情報（全体でなくても、複数の地区をまたがる範囲であればよい）のコンテンツ情報を生成するような場合では、情報を収集する地区を緯度情報と経度情報とからでは判断できない。そこで、例えば、高速道路を所定の距離毎に区切り複数の区切り点によって高速道路が構成されているように考える。そして、複数の区切り点毎に緯度情報と経度情報とを対応させる。さらに、高速道路を識別する高速道路識別子を設定して、高速道路識別子によって特定される高速道路を構成する区切り点の緯度情報と経度情報とを高速道路識別子にリンクさせる。この高速道路識別子は地区識別子に相当するもとして、収集要求情報の地区情報に設定できる。
【００５１】
実施の形態６．
この実施の形態では、情報加工部４２１について説明する。
生成するコンテンツ情報の種類が渋滞情報である場合に応答情報として送信される情報は、少なくとも速度値と応答情報を生成した位置を示す位置情報である。位置情報は、応答情報を送信してきた車両が道路を走行中であるのか、停止しているのかを判定する場合に使用する。例えば、速度値が０ｋｍ／時間であると、渋滞で車両が止まっているのか、或いは、真に停止をしているのか速度値だけでは判断ができない。位置情報の示す位置が道路であるのか、駐車場であるのか、路肩であるのかを、位置情報を用いて地図情報記憶部から判定する。この判定結果によって、応答情報を送信してきた車両が道路を走行中であるのか、停止しているのかを判定することが可能となる。そして、真に停止している車両は、渋滞情報のコンテンツ情報を生成する元情報から除く。
【００５２】
以上の実施の形態の説明において「〜部」として説明したものは、一部或いはすべてコンピュータで動作可能なプログラムにより構成することができる。これらのプログラムは、例えば、Ｃ言語により作成することができる。
また、実施の形態の説明において「〜部」として説明したものは、ＲＯＭ（Ｒｅａｄ  Ｏｎｌｙ  Ｍｅｍｏｒｙ）に記憶されたファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、記録媒体に記録される。記録媒体は、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いても構わない。
上記プログラムは、コンピュータにロードされ、プロセッサの制御に基づいて実行される。
また、地区情報を送る手段として準天頂衛星を用いた場合について説明したが、本発明では、放送手段として地上波ディジタル放送、あるいは、静止衛星など、他の手段であってもよい。
【００５３】
【発明の効果】
地区を指定して収集要求情報を送信するため、複数の移動体装置に対して個々に収集要求情報を送信することと比較して、送信におけるトラフィックを解消できる効果がある。
【図面の簡単な説明】
【図１】実施の形態１の情報収集システム全体のイメージを表した図。
【図２】実施の形態１の情報収集システムの構成の一例を表した図。
【図３】今後計画されている準天頂衛星に関する技術を示す図。
【図４】今後計画されている準天頂衛星に関する技術を示す図。
【図５】センター装置４００の構成の一例を表した図。
【図６】対応関係記憶部の一例を表す図。
【図７】センター装置４００から送信される収集要求情報の一例を表した図。
【図８】センター装置４００から送信されて準天頂衛星が中継して同報する収集要求情報の一例を示した図。
【図９】実施の形態１のセンター装置４００の動作の一例を示すフローチャート図。
【図１０】顧客情報記憶部４２７の一例を表す図。
【図１１】送信情報メモリ４１８の一例を示した図。
【図１２】収集要求情報の一例を示した図。
【図１３】応答情報の一例を示した図。
【図１４】収集情報メモリ４１５の一例を表す図。
【図１５】加工情報メモリ４２３の一例を表す図。
【図１６】移動体装置３００の構成の一例を表した図。
【図１７】移動体装置３００の動作の一例を示すフローチャート図。
【図１８】移動体装置の車両への搭載率と収集間隔に対する、交通流のモニタ度合い（リンク旅行推定時間）の関係を示したグラフ例を示す図である。
【図１９】移動体装置３００の表示装置３２５に表示される情報の一例を表した図。
【図２０】センター装置４００から送信される収集要求情報の一例を示した図。
【図２１】センター装置４００から送信される収集要求情報の一例を示した図。
【符号の説明】
１００  収集要求情報、１１０  ヘッダ領域、１１０Ａ  ヘッダ領域、１２０データ領域、１２０Ａ  データ領域、１２１  地区識別子、１２１Ａ  地区識別子、１２２  要求内容情報、１２２Ａ  要求内容情報、１３０  応答情報、１３１  ヘッダ情報、１３２  データ部、１３３  地区識別子、１３４  収集情報、１３４Ａ  収集項目情報、１３４Ｂ  収集値情報、１３４Ｃ  送信者情報、１３４Ｄ  送信者位置情報、１３４Ｅ  送信日時情報、２１０  ＧＰＳ衛星、２２０  準天頂衛星、２３０，２３１  ネットワーク、２４０  情報利用側、２４０Ａ  情報提供端末、２４０Ｂ  情報提供端末、２４０Ｎ  情報提供端末、３００移動体装置、３１１  アンテナ、３１２  ＧＰＳ信号受信部、３１３  位置測位部、３２１  アンテナ、３２２  無線受信部、３２３  情報選択部、３２４  出力部、３２５  表示装置、３２６  対応関係記憶部、３２７  地区判定部、３２８  入力部、３２９  入力装置、３４０  検出装置、３４１  速度検出器、３４２  ワイパー検出器、３４３  ライト検出器、３４４  センサー装置、３４５速度センサー、３４６  ワイパーセンサー、３４７  ライトセンサー、３５０地図情報記憶部、３５１  条件判定部、３５２  応答情報生成部、３５３  通信部、３５４  応答信号送信部、４００  センター装置、４１１  アンテナ、４１２  情報受信部、４１３  通信部、４１４  情報収集部、４１５  収集情報メモリ、４１６  情報編集部、４１７  情報生成部、４１８  送信情報メモリ、４１９  情報送信部、４２１  情報加工部、４２２  対応関係記憶部、４２３  加工情報メモリ、４２４  出力部、４２５  地図情報記憶部、４２６  入力部、４２７  顧客情報記憶部。
【図１】
2005006064.tif 000003
【図２】
2005006064.tif 000004
【図３】
2005006064.tif 000005
【図４】
2005006064.tif 000006
【図５】
2005006064.tif 000007
【図６】
2005006064.tif 000008
【図７】
2005006064.tif 000009
【図８】
2005006064.tif 000010
【図９】
2005006064.tif 000011
【図１０】
2005006064.tif 000012
【図１１】
2005006064.tif 000013
【図１２】
2005006064.tif 000014
【図１３】
2005006064.tif 000015
【図１４】
2005006064.tif 000016
【図１５】
2005006064.tif 000017
【図１６】
2005006064.tif 000018
【図１７】
2005006064.tif 000019
【図１８】
2005006064.tif 000020
【図１９】
2005006064.tif 000021
【図２０】
2005006064.tif 000022
【図２１】
2005006064.tif 000023